(57)【要約】【課題】  隅部に対する掃除を行う時、ブラシボディが折れることで使用上の便利性が向上し、広い面積に対する掃除の容易化を図るため、使用者の選択によってブラシの長さを伸長および縮小変化させることができるように改善された真空掃除機の折り型ブラシを提供する。【解決手段】  隅部に接触すると、ブラシボディが折れて壁面に密着する掃除機の折り型ブラシにおいて、内部に吸込み流路を有する上部および下部ケースと、前記上部および下部ケースの両側面にヒンジ結合される補助ブラシと、前記補助ブラシの回動に連動して前進および後退する隅部ブラシとを有する。【選択図】      図３
2005125076.tif 000002
【特許請求の範囲】
【請求項１】
隅部に接触すると、ブラシボディが折れて壁面に密着する掃除機の折り型ブラシにおいて、
内部に吸込み流路を有する上部および下部ブラシケースと、
前記上部および下部ケースの両側面にヒンジ結合される補助ブラシと、
前記補助ブラシの回動に連動して前進および後退する隅部ブラシとを有することを特徴とする真空掃除機の折り型ブラシ。
【請求項２】
前記吸込み流路は、
前記補助ブラシと連結される第１のダクトと、
前記隅部ブラシと連結される第２のダクトと、
前記第１のダクトと第２のダクトとが合流する空間部とを有することを特徴とする請求項１に記載の真空掃除機の折り型ブラシ。
【請求項３】
前記吸込み流路は、前記下部ブラシケース上に前記第１および第２のダクトが前記空間部で合流するように隔壁で仕切られ、その上側に、一体に形成された密閉カバーにより前記第１のダクト、第２のダクトおよび空間部が密閉されることを特徴とする請求項２に記載の真空掃除機の折り型ブラシ。
【請求項４】
前記第２のダクトにガイドされながら、前記隅部ブラシの前進および後退に連動する前方吸込みダクト部材を有することを特徴とする請求項３に記載の真空掃除機の折り型ブラシ。
【請求項５】
前記前方吸込みダクト部材は、その端部に係止突起が形成され、前記隅部ブラシに形成された係止溝に収まり、前記隅部ブラシの前進および後退に連動することを特徴とする請求項４に記載の真空掃除機の折り型ブラシ。
【請求項６】
前記補助ブラシは、
前記下部ブラシケースに回動可能に設けられる補助ブラシベースと、
前記補助ブラシベースに長さ方向に伸長可能に結合される補助ブラシボディと、
前記補助ブラシベースに結合され、前記補助ブラシボディの長さ方向への離脱を防止する補助ブラシカバーとを有することを特徴とする請求項１に記載の真空掃除機の折り型ブラシ。
【請求項７】
前記補助ブラシは、
前記補助ブラシボディの一端に突設された係止突起と、
前記係止突起と対応する補助ブラシカバーの内周面上に設けられた一定の幅および振幅を有する複数の係止溝とを有し、
前記補助ブラシボディの長さ方向への伸長および収縮は、前記係止溝それぞれに相当する幅だけ伸長および収縮されることを特徴とする請求項６に記載の真空掃除機の折り型ブラシ。
【請求項８】
前記補助ブラシは、初期位置に補助ブラシを弾性復元させるため、ヒンジ結合部に弾性部材が設けられていることを特徴とする請求項１に記載の真空掃除機の折り型ブラシ。
【請求項９】
前記補助ブラシは、それぞれの補助ブラシが並んでいる場合は、前記吸込み流路と連通し、補助ブラシが回動する場合は、前記吸込み流路と遮断されることを特徴とする請求項６乃至８のいずれか一項に記載の真空掃除機の折り型ブラシ。
【請求項１０】
前記隅部ブラシは、
端部が角張って形成された隅部ブラシボディと、
前記隅部ブラシボディの下部面に形成された吸込みポートと、
前記補助ブラシが連結されるガイド溝とを有することを特徴とする請求項１に記載の真空掃除機の折り型ブラシ。
【請求項１１】
前記補助ブラシは、前記ガイド溝に収まるガイド突起を有するリンク部材が、前記ヒンジ軸に隣接した位置に設けられていることを特徴とする請求項１０に記載の真空掃除機の折り型ブラシ。
【請求項１２】
前記ガイド溝は、前記補助ブラシそれぞれのガイド突起を同時に収容しながら、前記補助ブラシが回動してそれぞれの補助ブラシの間の角度が鋭角となる場合、前記隅部ブラシが突出するように前記ガイド突起の回動軌跡と対応する円周率を有するように形成されることを特徴とする請求項１０に記載の真空掃除機の折り型ブラシ。
【請求項１３】
上部ブラシケースと、
複数の吸込み流路を有する下部ブラシケースと、
前記吸込み流路を密閉する流路形成部材と、
前記吸込み流路と連結され、前記上部および下部ブラシケースの両側面にヒンジ結合される伸縮可能な補助ブラシと、
前記補助ブラシの回動に連動して前進および後退する隅部ブラシと、
前記流路形成部材および下部ブラシケースの間に回動可能に結合され、掃除機本体側に前記吸込み流路を連結する連結管とを有することを特徴とする真空掃除機の折り型ブラシ。
【発明の詳細な説明】
【技術分野】
【０００１】
本発明は、真空掃除機に関し、より詳しくは、壁間における隅部の掃除が容易に行えるようにブラシボディが折れる、真空掃除機の折り型ブラシに関する。
【背景技術】
【０００２】
図１および図２は、従来の技術による折り式ブラシを示すものであって、韓国公開特許２００３−５５４５（２００３年１月２３日）に開示されている。
【０００３】
即ち、図１は、従来の折り型ブラシの構成を示す平面図、図２は、隅部に対する掃除を行う場合の、左右ボディの回転状態を示す例示図であって、前記折り型ブラシは、真空掃除機の吸込み管（図示せず）と連結される中央ボディ１と、中央ボディ１の両側に設けられる左右ボディ２、２’と、中央ボディ１を中心に左右ボディ２、２’が回転した後、元の位置に戻す復元力を提供するバネ３とで構成されている。
【０００４】
中央ボディ１には、塵埃などを吸い込むための吸込み口１１が形成され、外周縁両側には、左右ボディ２、２’の回転を案内すると共に中央ボディに固定するためのＴ状ガイド溝（図示せず）が形成され、その上端に左右ボディ２、２’と連結されるバネ３の一側が回転できるようにバネガイドホール（図示せず）が形成されている。
【０００５】
左右ボディ２、２’の一側には、ガイド溝（図示せず）に結合される突出ガイド（図示せず）、が形成され、その上端に、バネ３が嵌め込まれるバネ連結溝２４、２４’が形成され、底面中央には、中央ボディ１の吸込み口１１に塵埃を案内するための吸込み溝２１、２１’が形成されている。また、突出ガイド２２、２２’の下端に遮断膜２３、２３’を形成することで中央ボディ１との連結部位における吸込み力損失を防止するようになっている。
【０００６】
また、中央ボディ１の底面に第１、第２および第３の突出部１４、１４’、１４”を形成させるが、図２のように吸込み溝２１、２１’と平行な一側辺を有するように第２および第３の突出部１４’、１４”を形成し、第２の突出部１４’と第３の突出部１４”の中央下端に第１の突出部１４を形成し、第１および第２の突出部１４、１４’に突出片１５、１５’を形成することで、右側ボディ２’に設けられた遮断膜２３は、突出片１５、１５’に接し、左側ボディ２の遮断膜２３は、第１および第３の突出部１４、１４”に接するようにして、遮断膜２３、２３’の回転半径を互いに異ならせている。
【０００７】
遮断膜２３、２３’の上面には、遮断膜ガイド２３”が形成され、遮断膜ガイド２３”と結合される遮断膜ガイド溝１７、１７’を中央ボディ１の底面に互いに異なる径を有するように形成することで遮断膜２３、２３’の回転が円滑に行われるようにした。
【０００８】
バネ３は、２つのトーションバネを用いて一側が中央ボディ１に固定され、他側が左右ボディ２、２’のバネ連結溝２４、２４’にそれぞれ嵌め込まれ、左右ボディ２、２’が家具または壁により回転する時、復元力を提供する。
【０００９】
しかし、従来の技術は、中央ボディ１と左右ボディ２、２’とを有する構造で、単純に左右ボディ２、２’の回転で隅部に対する掃除を容易に行うように構成されているが、既存の吸込み管の使用において問題があり、左右ボディ２、２’の拡張が不可能であるため、広い場所に対する掃除が容易でないだけでなく、中央ボディ１の吸込み口１１付近に形成されたバネガイドホール（図示せず）とバネ３が吸込み口１１側に位置されているため、長期間掃除作業を行うと、吸込み口１１を介して流入される塵埃などの異物によってガイドホール１３が詰まったり、バネ３の動作に干渉を起したりすることがあるという問題点がある。
【特許文献１】韓国公開特許２００３−５５４５号（２００３年１月２３日）
【発明の開示】
【発明が解決しようとする課題】
【００１０】
本発明は、上記のような問題点を解決するためになされたものであって、本発明の目的は、隅部に対する掃除を行う時、ブラシボディが折れることで便利性が向上すると共に、広い面積に対する掃除が容易に行えるため、使用者の選択に応じてブラシの長さを変化させることができる、真空掃除機の折り型ブラシを提供することにある。
【課題を解決するための手段】
【００１１】
前述の問題点を解決するための本発明に係る真空掃除機の折り型ブラシは、隅部に接触すると、ブラシボディが折れて壁面に密着する掃除機の折り型ブラシにおいて、内部に吸込み流路を有する上部および下部ケースと、前記上部および下部ケースの両側面にヒンジ結合される補助ブラシと、前記補助ブラシの回動に連動して前進および後退する隅部ブラシとを有することを特徴とする。
【００１２】
本発明の好適な一実施形態によれば、前記吸込み流路は、前記補助ブラシと連結される第１のダクトと、前記隅部ブラシと連結される第２のダクトと、前記第１のダクトと第２のダクトとが合流する空間部とを有することが好ましい。
【００１３】
また、前記吸込み流路は、前記下部ブラシケース上に前記第１および第２のダクトが前記空間部で合流するように隔壁で仕切られ、その上側に、一体に形成された密閉カバーにより前記第１のダクト、第２のダクトおよび空間部が密閉されることが好ましい。
【００１４】
また、前記第２のダクトにガイドされながら、前記隅部ブラシの前進および後退に連動する前方吸込みダクト部材を有することが好ましい。
【００１５】
また、前記前方吸込みダクト部材は、その端部に係止突起が形成され、前記隅部ブラシに形成された係止溝に収まり、前記隅部ブラシの前進および後退に連動することが好ましい。
【００１６】
また、前記補助ブラシは、前記下部ブラシケースに回動可能に設けられる補助ブラシベースと、前記補助ブラシベースに長さ方向に伸長可能に結合される補助ブラシボディと、前記補助ブラシベースに結合され、前記補助ブラシボディの長さ方向への離脱を防止する補助ブラシカバーとを有することもできる。
【００１７】
また、前記補助ブラシは、前記補助ブラシボディの一端に突設された係止突起と、前記係止突起と対応する補助ブラシカバーの内周面上に設けられた一定の幅および振幅を有する複数の係止溝と、を有し、前記補助ブラシボディの長さ方向への伸長および収縮は、前記係止溝それぞれに相当する幅だけ伸長および縮小が行われることが好ましい。
【００１８】
また、前記補助ブラシは、初期位置に補助ブラシを弾性復元させるため、ヒンジ結合部に弾性部材が設けられていることが好ましい。
【００１９】
また、前記補助ブラシは、それぞれの補助ブラシが並んでいる場合は、前記吸込み流路と連通し、補助ブラシが回動する場合は、前記吸込み流路と遮断される。
【００２０】
また、前記隅部ブラシは、端部が角張って形成された隅部ブラシボディと、前記隅部ブラシボディの下部面に形成された吸込みポートと、前記補助ブラシが連結されるガイド溝とを有することが好ましい。
【００２１】
このとき、前記補助ブラシは、前記ガイド溝に収まるガイド突起を有するリンク部材が、前記ヒンジ軸に隣接した位置に設けられることで、前記補助ブラシの回動によって前記隅部ブラシが前進および後退することが可能となる。
【００２２】
即ち、前記ガイド溝は、前記補助ブラシそれぞれのガイド突起を同時に収容しながら、前記補助ブラシが回動してそれぞれの補助ブラシの間の角度が鋭角となる場合、前記隅部ブラシが突出するように前記ガイド突起の回動軌跡と対応する円周率を有するように形成される。
【発明の効果】
【００２３】
本発明に係る真空掃除機によれば、隅部に対する掃除を行う時、ブラシボディが折れることでより便利な掃除作業が行えるだけでなく、隅部ブラシが補助ブラシの回動に連動して前面に突出することで隅部に密着され、吸込み効率が向上するという効果が得られる。
【００２４】
また、広い面積に対する掃除作業を容易にするために使用者の選択に応じてブラシの長さを伸長および収縮変化させることができ、従来のブラシに比べて吸込み面積が広くなり、掃除時間を短縮させることが可能となる。
【発明を実施するための最良の形態】
【００２５】
以下、添付の図面を参照して本発明の好適な実施形態を具体的に説明する。
【実施例】
【００２６】
図３は、本発明に係る真空掃除機の折り型ブラシの分解斜視図を示す図である。本発明に係る折り型ブラシ１００は、第１および第２のダクト１１１、１１２と空間部１１３とを有する下部ブラシケース１１０と、第１および第２のダクト１１１、１１２と空間部１１３の上側に設けられ、これらを密閉させる密閉カバー１２０と、上部ブラシケース１３０とを備える。
【００２７】
下部および上部ブラシケース１１０、１３０からなるブラシボディの前方には、折り型ブラシ１００の進行方向に前進および後退できるように設けられる隅部ブラシ２００が取り付けられている。
【００２８】
また、下部および上部ブラシケース１１０、１３０からなるブラシボディの左右側端部には、その長さ方向に伸長可能な補助ブラシ３００が下部ブラシケース１１０に設けられたヒンジ収容部１１５にヒンジ結合される。
【００２９】
下部ブラシケース１１０は、本発明による折り型ブラシ１００ボディの下部面を形成するもので、その内部に複数の吸込み流路を有する。それぞれの吸込み流路は、補助ブラシ３００と連結される第１のダクト１１１と、隅部ブラシ２００と連結される第２のダクト１１２と、第１および第２のダクト１１１、１１２が合流する空間部１１３とを有する。第１および第２のダクト１１１、１１２は、空間部１１３で合流されるように隔壁で仕切られており、空間部１１３は、隅部ブラシ２００および補助ブラシ３００で吸い込まれた塵埃が含まれた空気を集めて連結管１１４に伝達し、連結管１１４は、図示しない延長管とフレキシブルホース組立体を介して真空掃除機の本体に設けられた集塵室に、塵埃の含まれた空気の移動をガイドする。連結管１１４は、軸方向に回動可能に設けられるが、このため、その連結部１１４ａは、球状であり、連結部１１４ａの外周面には、ガイドリング１１４ｂが突設され、下部ブラシケース１１０と後述の密閉カバー１２０との間に設けられたガイドグルーブ１１０ａに沿って回動可能に設けられている。従って、使用者は、前記連結管を軸方向に自由に戻すことができ、ガイドリング１１４ｂにより支持される連結部１１４ａは、立体的に回動可能である。
【００３０】
第１および第２のダクト１１１、１１２と空間部１１３の上側には、密閉カバー１２０が設けられ、これらの密閉を行うが、第１および第２のダクト１１１、１１２と空間部１１３のそれぞれの形状が対応される、一体化した部材で構成することが好ましい。即ち、第１のダクト１１１と対応する第１のダクトカバー１２１と、第２のダクト１１２と対応する第２のダクトカバー１２２および空間部１１３を密閉する空間部カバー１２３が一体化した部材で形成されることが好ましい。
【００３１】
隅部ブラシ２００は、隅部ブラシボディ２１０と、隅部ブラシ２００と補助ブラシ３００とを連結するガイド溝２２０を含む。
【００３２】
隅部ブラシボディ２１０は、図４に示されたように、前方に向かう端部が角張って形成され、その底面が開口した吸込みポート２０２を有するヘッド部２０１と、前方吸込みダクト部材２３０を結合するための係止溝２０３とを含む。前方吸込みダクト部材２３０は、後述する。
【００３３】
ヘッド部２０１は、隅部ブラシボディ２１０の先端部をなすものであって、隅部に対する掃除を行うため、本発明による折り型ブラシ１００の前進方向を形成する一端の内角が鉛直となるように形成される。また、その底面は、開口した吸込みポート２０２で形成し、被掃除面と対面しながら塵埃の含まれた空気を掃除機本体に設けられた集塵室に吸い込む働きをする。
【００３４】
ガイド溝２２０は、後述の補助ブラシ３００それぞれに突設されたガイド突起３１２ａを同時に収容するとともに補助ブラシ３００が回動してそれぞれの補助ブラシ３００間の角度が鋭角となる場合、隅部ブラシ２００が突出するようにガイド突起３１２ａの回動軌跡と対応する円周率を有するように形成される。
【００３５】
前方吸込みダクト部材２３０は、パイプ形状の部材であって、第２のダクト１１２にガイドされながら、隅部ブラシ２００の前進および後退に連動する。即ち、その端部に係止突起２３１が形成され、係止溝２０３に嵌め込まれ、隅部ブラシ２００の前進および後退動作に連動することが可能となる。前方吸込みダクト部材２３０により、吸込みポート２０２から吸い込まれた塵埃の含まれた空気は、前方吸込みダクト部材２３０および第２のダクト１１２を介して空間部１１３に移動することができる。
【００３６】
補助ブラシ３００は、図５および図６に示されたように、下部ブラシケース１１０に回動可能に設けられる補助ブラシベース３１０、この補助ブラシベース３１０に長さ方向に伸長できるように結合される補助ブラシボディ３２０、および補助ブラシベース３１０に結合され、補助ブラシボディ３２０の長さ方向への離脱を防止する補助ブラシカバー３３０を含むことができる。
【００３７】
補助ブラシベース３１０は、下部ブラシケース１１０にヒンジ結合されるヒンジ軸３１１と、隅部ブラシ２００に設けられたガイド溝２２０に収まるガイド突起３１２ａを有するリンク部材３１２と、ヒンジ軸３１１の隣接位置に設けられ、補助ブラシ３００の回動によって、隅部ブラシ２００が前進および後退できるようにする。
【００３８】
補助ブラシボディ３２０は、その最初結合位置で長さ方向に伸長可能であるが、このため、補助ブラシボディ３２０の一端に突設された係止突起３２１、および係止突起３２１と対応する補助ブラシカバー３３０の内周面上に設けられた一定の幅および振幅を有する複数の係止溝３３１を有し、補助ブラシボディ３２０が長さ方向に伸長および収縮する時、係止溝３３１それぞれに相当する幅だけ伸長および収縮することが好ましい。
【００３９】
また、補助ブラシ３００は、初期位置に補助ブラシカバー３３０を弾性復元させるため、ヒンジ軸３１１と下部ブラシケース１１０との間の結合部に弾性部材１１６が設けられることが好ましい。例えば、弾性部材１１６は、トーションバネが使用できる。
【００４０】
また、補助ブラシ３００は、図７に示されたように、それぞれの補助ブラシ３００が並んでいる状態では、第１のダクト１１１と連通し、図８および図９に示されたように、補助ブラシ３００が回動する場合、補助ブラシ３００と第１のダクト１１１は、遮断され、吸込みは、隅部ブラシ２００を介してのみ行われる。
【００４１】
以下、本発明に係る真空掃除機の折り型ブラシ１００の動作を、添付の図面に基づいて説明する。
【００４２】
前述のように、本発明に係る折り型ブラシ１００は、下部および上部ケース１１０、１３０で形成されたブラシボディの前面に、隅部に対する掃除を行うことのできるブラシ２００が設けられ、隅部ブラシ２００は、ブラシボディの両側にヒンジ結合された補助ブラシ３００の回動に連動して前進および後退可能である。
【００４３】
従って、図８に示された矢印方向に、補助ブラシ３００が回動すると、リンク部材３１２に設けられたガイド突起３１２ａは、ガイド溝２２０に沿って回動しながら、隅部ブラシ２００を前方に前進するように押すようになるため、図示のように、隅部ブラシ２００は、前方に突出しながら図１０に示されたように、角張った隅部を有する壁面（Ｗ）にブラシ全体を密着させることが可能となる。
【００４４】
即ち、使用者は、従来のように隅部に対する掃除を行うため、隙間ブラシのような補助ブラシに吸込みツールを置き換える必要がないため、本発明による折り型ブラシ１００を押す動作だけでも掃除が行えるようになり、使用上の便利性が向上する。
【００４５】
なお、補助ブラシ３００は、ヒンジ軸３１１と下部ブラシケース１１０との間に弾性部材を介在して取り付けられているため、それぞれの補助ブラシ３００が並んで位置する方向に前記弾性部材が弾性加圧力を補助ブラシ３００に与えている。従って、壁面または障害物との接触により補助ブラシ３００が回動しても、非接触となると、補助ブラシ３００は、最初の位置に自動的に戻される。
【００４６】
また、補助ブラシ３００は、その長さ方向に伸長および収縮が可能である。即ち、使用者がより広い面積を掃除する場合、補助ブラシボディ３２０を長さ方向に引っ張ると、補助ブラシボディ３２０が補助ブラシベース３１０から離脱し、長さ方向に係止溝３３１の幅に相当する分だけ段階的に伸長するため、掃除可能な面積が増大して掃除時間を減らすことが可能となる。
【００４７】
以下、図面を参照して本発明の好適な実施形態を説明する。しかしながら、本発明の保護範囲は、以下の実施形態に限定されるものではなく、特許請求の範囲に記載された発明とその均等物にまで及ぶものである。
【産業上の利用可能性】
【００４８】
本発明は、室内で使用される真空掃除機に関し、本発明の折り型ブラシによれば、室内の隅部を掃除する時、ブラシボディが折れることで隅部に対する掃除がより容易に行えるようになり、使用上の便利さを向上させることが可能となる。
【図面の簡単な説明】
【００４９】
【図１】従来の折り型ブラシの構成を示す平面図である。
【図２】従来の折り型ブラシで隅部を掃除する場合における左右ボディの回転状態を示す例示図である。
【図３】本発明に係る真空掃除機の折り型ブラシの分解斜視図である。
【図４】本発明に係る隅部ブラシと前方吸込みダクト部材との結合関係を拡大して示す底面斜視図である。
【図５】本発明に係る真空掃除機の折り型ブラシの補助ブラシの内部を一部取り出して示す要部拡大図である。
【図６】本発明に係る真空掃除機の折り型ブラシの補助ブラシの内部を一部取り出して伸長状態にある内部を示す図である。
【図７】本発明に係る真空掃除機の折り型ブラシの上部ブラシカバーを取り外した状態を示す斜視図である。
【図８】本発明による真空掃除機の折り型ブラシの上部ブラシカバーを取り外した状態の補助ブラシが折れた状態を示す斜視図である。
【図９】本発明に係る真空掃除機の折り型ブラシの下部ブラシケースを取り外した様子を示す斜視図である。
【図１０】本発明に係る真空掃除機の折り型ブラシで隅部を有する壁面を掃除する状態を示す図である。
【符号の説明】
【００５０】
１００  折り型ブラシ
１１０  下部ブラシケース
１１０ａ  ガイドグルーブ
１１１  第１のダクト
１１２  第２のダクト
１１３  空間部
１１４  連結管
１１４ａ  連結部
１１４ｂ  ガイドリング
１１５  ヒンジ収容部
１１６  弾性部材
１２０  密閉カバー
１２１  第１のダクトカバー
１２２  第２のダクトカバー
１２３  空間部カバー
１３０  上部ブラシケース
２００  隅部ブラシ
２０１  ヘッド部
２０２  吸込みポート
２０３  係止溝
２１０  隅部ブラシボディ
２２０  ガイド溝
２３０  前方吸込みダクト部材
２３１、３２１  係止突起
３００  補助ブラシ
３１０  補助ブラシベース
３１１  ヒンジ軸
３１２  リンク部材
３２０  補助ブラシボディ
３３０  補助ブラシカバー
【図１】
2005125076.tif 000003
【図２】
2005125076.tif 000004
【図３】
2005125076.tif 000005
【図４】
2005125076.tif 000006
【図５】
2005125076.tif 000007
【図６】
2005125076.tif 000008
【図７】
2005125076.tif 000009
【図８】
2005125076.tif 000010
【図９】
2005125076.tif 000011
【図１０】
2005125076.tif 000012